(57)【要約】【課題】ＣＤ、ＤＶＤ等の光ディスク装置に用いられているディスク回転用モータにおいて、ロータ部を構成するターンテーブル部、及びステータ部を構成するブラケットは、その剛性、精度、磁性等の目的から鉄系、ステンレス系、または黄銅系の、比較的比重の重い材質が用いられるのが一般的であり、これらは、モバイル機器に求められる軽量化に対しては不向きとなっている。【解決手段】上記課題を解決するために本発明は、ロータ部を構成するターンテーブル１、またはステータ部を構成するブラケット１０、またはその双方にマグネシウム合金製、またはアルミニウム合金製の部材を使用し、ブラシレスモータの重量低減を図る、または無数の小径穴、数ヶ所の切欠きを形成することにより、ブラシレスモータの重量低減を図るものである。【選択図】図１
2006033925.tif 000002
【特許請求の範囲】
【請求項１】
ターンテーブル部とヨーク部が一体化された一体型ロータフレーム、または別部品であるターンテーブル部とヨーク部の締結からなる別体型ロータフレーム、及びターンテーブル部と共にディスクを押圧支持するディスク保持部材、ロータマグネット、シャフト、抜け止め部材等からなるロータ部と、油を含浸する軸受け、軸受けを内包し被係合部を有するメタルハウジング、及び巻線されたコア、ブラケットからなるステータ部からなるブラシレスモータにおいて、前記ブラケットがマグネシウム合金の部材であるブラシレスモータ。
【請求項２】
ターンテーブル部がマグネシウム合金製、あるいはアルミニウム合金製の部材である、請求項１記載のブラシレスモータ。
【請求項３】
鉄製、ステンレス製、またはマグネシウム合金製、アルミニウム合金製の部材であり、なおかつ無数の小径穴を形成されたブラケットを有する、請求項１記載のブラシレスモータ。
【請求項４】
鉄製、ステンレス製、黄銅製、マグネシウム合金製、あるいはアルミニウム合金製の部材であり、なおかつ無数の小径穴を形成されたターンテーブル部を有する、請求項１記載のブラシレスモータ。
【請求項５】
鉄製、ステンレス製、またはマグネシウム合金製、アルミニウム合金製の部材であり、なおかつ数ヶ所の切欠き部を形成されたブラケットを有する、請求項１記載のブラシレスモータ。
【請求項６】
鉄製、ステンレス製、黄銅製、マグネシウム合金製、あるいはアルミニウム合金製の部材であり、なおかつ数ヶ所の切欠き部を形成されたターンテーブル部を有する、請求項１記載のブラシレスモータ。
【発明の詳細な説明】
【技術分野】
【０００１】
本発明はブラシレスモータの軽量化に関するものである。
【背景技術】
【０００２】
近年、ＣＤ、ＤＶＤ等の光ディスク装置に用いられているディスク回転用モータは小型薄型化、軽量化の要求が高まっている。
【０００３】
図４はＣＤ、ＤＶＤ等の光ディスク装置に用いられているディスク回転用モータの構造断面図である。ブラシレススピンドルモータのシャフトと締結するロータフレームの突状環状部の長さが短くても締結部の強度を維持することにより薄型化を可能とするものである（例えば、特許文献１の第５−６頁、図１参照）。
【０００４】
ディスク回転用モータはロータ部とステータ部によって構成されている。その内、ロータ部はターンテーブル部４１とヨーク部４２が一体化された一体型ロータフレーム、または別部品であるターンテーブル部とヨーク部の締結からなる別体型ロータフレーム、及びターンテーブル部と共にディスクを押圧支持するディスク保持部材４３、ロータマグネット４４、シャフト４５、抜け止め部材４６等から構成され、ステータ部は油を含浸する軸受け４７、軸受けを内包し被係合部を有するメタルハウジング４８、及び巻線されたコア４９、ブラケット４０から構成されている
図３（ａ）はターンテーブル３１、図３（ｂ）はブラケット３０である。ロータ部を構成するターンテーブル３１、及びステータ部を構成するブラケット３０は、その剛性、精度、磁性等の目的から鉄系、ステンレス系、または黄銅系の材質が用いられるのが一般的である。
【０００５】
また、モータの軽量化を目的としたものに、ロータ部材を樹脂で成形されているものもある（例えば、特許文献２参照）。
【特許文献１】特開２００２−１３６０３１号公報
【特許文献２】特開平０５−２３６７１７号公報
【発明の開示】
【発明が解決しようとする課題】
【０００６】
しかしながら、上記従来の構成では、ブラシレスモータの重量低減に対して、構成部材材質の比重の制限があるため、飛躍的な改善は期待できない。
【０００７】
本発明は、このような従来の課題を解決するものであり、小型薄型化を図るとともに超軽量のブラシレスモータを提供することを目的とする。
【課題を解決するための手段】
【０００８】
上記課題を解決するために本発明は、ロータ部を構成するターンテーブル部、またはステータ部を構成するブラケット、またはその双方にマグネシウム合金製、またはアルミニウム合金製の部材を使用し、ブラシレスモータの重量低減を図る、または無数の小径穴、数ヶ所の切欠きを形成することにより、ブラシレスモータの重量低減を図るものである。
【発明の効果】
【０００９】
請求項１〜請求項６記載の発明によれば、ブラシレスモータの軽量化という有利な効果が得られる。また、請求項１〜請求項６記載中のマグネシウム合金製部材の使用によれば、振動吸収性が向上するため、ブラシレスモータでの振動特性改善効果をもたらす。また
、上記同様に、マグネシウム合金製部材の使用によれば、電磁波遮断性が向上するため、複数の部品が密集するセットにおいては、他部品への悪影響を低減する効果をもたらす。
【００１０】
また、請求項３〜請求項６記載中の無数の小径穴、または数ヶ所の切欠きを形成することにより、モータ構造中に気流の通路を形成できる。薄型光メディア用ドライブなどでは、密閉空間でモータが動作した際、発熱等による空気の圧縮によってセットの変形等の問題が発生する場合があるため、密閉空間での気流の通路を確保することが望ましく、請求項３〜請求項６はこの問題を解決する。
【発明を実施するための最良の形態】
【００１１】
本発明の請求項１に記載の発明は、ターンテーブル部とヨーク部が一体化された一体型ロータフレーム、または別部品であるターンテーブル部とヨーク部の締結からなる別体型ロータフレーム、及びターンテーブル部と共にディスクを押圧支持するディスク保持部材、ロータマグネット、シャフト、抜け止め部材等からなるロータ部と、油を含浸する軸受け、軸受けを内包し被係合部を有するメタルハウジング、及び巻線されたコア、ブラケットからなるステータ部からなるブラシレスモータにおいて、前記ブラケットがマグネシウム合金の部材であるブラシレスモータとしたものであり、ブラシレスモータの軽量化という有利な効果が得られる。
【００１２】
請求項２に記載の発明は、ターンテーブル部がマグネシウム合金製、あるいはアルミニウム合金製の部材である、請求項１記載のブラシレスモータとしたものであり、請求項１同様にブラシレスモータの軽量化という有利な効果が得られる。
【００１３】
請求項３に記載の発明は、鉄製、ステンレス製、またはマグネシウム合金製、アルミニウム合金製の部材であり、なおかつ無数の小径穴を形成されたブラケットを有する、請求項１記載のブラシレスモータとしたものであり、請求項１同様にブラシレスモータの軽量化という有利な効果が得られる。
【００１４】
請求項４に記載の発明は、鉄製、ステンレス製、黄銅製、マグネシウム合金製、あるいはアルミニウム合金製の部材であり、なおかつ無数の小径穴を形成されたターンテーブル部を有する、請求項１記載のブラシレスモータとしたものであり、請求項１同様にブラシレスモータの軽量化という有利な効果が得られる。
【００１５】
請求項５に記載の発明は、鉄製、ステンレス製、またはマグネシウム合金製、アルミニウム合金製の部材であり、なおかつ数ヶ所の切欠き部を形成されたブラケットを有する、請求項１記載のブラシレスモータであり、請求項１同様にブラシレスモータの軽量化という有利な効果が得られる。
【００１６】
請求項６に記載の発明は、鉄製、ステンレス製、黄銅製、マグネシウム合金製、あるいはアルミニウム合金製の部材であり、なおかつ数ヶ所の切欠き部を形成されたターンテーブル部を有する、請求項１記載のブラシレスモータであり、請求項１同様にブラシレスモータの軽量化という有利な効果が得られる。
【実施例１】
【００１７】
以下、本発明の実施例について図を参照して説明する。
【００１８】
モータの基本的構成は従来例の図４とほぼ同様であり、重複する部分については説明は省略する。
【００１９】
このモータの構成において、ターンテーブル部、またはブラケットにマグネシウム合金
製、またはアルミニウム合金製の部材を使用することで、ブラシレスモータの重量低減を図ることが可能となる。また、鉄製、ステンレス製、黄銅製部品を使用した場合でも、図３（a）ターンテーブル３１、図３（ｂ）ブラケット３０の通常形状例に対し、図１（a）ターンテーブル１、図１（ｂ）ブラケット１０に示すように無数の小径穴を形成、または図２（a）ターンテーブル２１、図２（ｂ）ブラケット２０のように数ヶ所の切欠きを形成することにより、重量低減は可能となり、マグネシウム合金製、またはアルミニウム合金製の部材にこれらの形状を形成することにより、更なる重量低減を図ることが可能となる。
【産業上の利用可能性】
【００２０】
光メディア用スピンドルモータ等、軽量化が求められるモバイル機器用ブラシレスモータに有用である。
【図面の簡単な説明】
【００２１】
【図１】（ａ）無数の小径穴を形成したターンテーブル部形状例の図（ｂ）無数の小径穴を形成したブラケット形状例の図
【図２】（ａ）数ヶ所の切欠きを形成したターンテーブル部形状例の図（ｂ）数ヶ所の切欠きを形成したブラケット形状例の図
【図３】（ａ）ターンテーブル部の通常形状例の図（ｂ）ブラケットの通常形状例の図
【図４】従来のブラシレスモータの構造断面図
【符号の説明】
【００２２】
１、２１、３１、４１  ターンテーブル（部）
４２  ヨーク（部）
４３  ディスク保持部材
４４  ロータマグネット
４５  シャフト
４６  抜け止め部材
４７  軸受
４８  メタルハウジング
４９  コア
１０、２０、３０、４０  ブラケット
【図１】
2006033925.tif 000003
【図２】
2006033925.tif 000004
【図３】
2006033925.tif 000005
【図４】
2006033925.tif 000006